(57)【要約】      （修正有）【課題】対震丁番としての機能を損なうことなく、軸が切断されても扉の取り外しを確実に防止することができる対震丁番及びそれを用いた扉装置を提供する。【解決手段】扉小口面又は枠体吊元面１４に取り付けられる下羽根４と上羽根５を有し、各羽根の側端縁に形成された管部８，９に連通する軸１５を設け、管部８,９の一端部を閉塞する儀星１０と軸１５の端部の間に座金１６，１７及び座金１６,１７を軸１５の端部に向けて付勢する圧縮コイルばね１９を介装し、座金１６,１７の移動範囲を制限するよう管部内にストッパーを設け、下羽根４と上羽根５の間に間隙２２を形成する。扉小口面又は枠体吊元面１４の突部２４と扉を閉鎖したとき突部２４が嵌入する長孔２６を扉小口面、枠体吊元面１４、下羽根４又は上羽根５に設け、長孔２６の長さを突部２４が長孔２６内を間隙２２の長さ分移動できる長さに形成したことを特徴とする。【選択図】図１
0003152368.tif 000002
【実用新案登録請求の範囲】
【請求項１】
扉小口面又は枠体吊元面に取り付けられる下羽根と上羽根を有し、各羽根の側端縁に形成された管部に連通し少なくとも一方の羽根に対し相対的に上下動且つ回転可能な軸を設け、上記管部の一端部を閉塞する儀星と上記軸の端部の間に上記管部内で移動可能な座金及び該座金を上記軸の端部に向けて付勢する圧縮コイルばねを介装し、該座金の移動範囲を制限するよう上記管部内にストッパーを設け、下羽根と上羽根の間に間隙を形成し、上記扉小口面又は枠体吊元面の一方側から他方側に向けて突出する突部と扉を閉鎖したとき該突部が嵌入する長孔を設け、該突部又は長孔のいずれか一方を上記下羽根又は上羽根に形成すると共に他方の突部又は長孔を扉小口面、枠体吊元面、下羽根又は上羽根に設け、上記長孔の長さを上記突部が該長孔内を上記間隙の長さ分移動できる長さに形成したことを特徴とする対震丁番。
【請求項２】
扉小口面又は枠体吊元面に取り付けられる下羽根と上羽根を有し、各羽根の側端縁に形成された管部に連通し各羽根に対し相対的に上下動且つ回転可能な軸を設け、該軸の下端に上記下羽根の管部内で移動可能な座金を固定し、該軸の上端に当接して上記上羽根の管部内を移動できるよう座金を挿入し、各管部の一端部を閉塞する儀星と上記各座金の間に該各座金を上記軸の端部に向けて付勢する圧縮コイルばねを介装し、上記各座金の移動範囲を制限するよう上記各羽根の管部内にストッパーを設け、下羽根と上羽根の間に間隙を形成し、上記扉小口面又は枠体吊元面の一方側から他方側に向けて突出する突部と扉を閉鎖したとき該突部が嵌入する長孔を設け、該突部又は長孔のいずれか一方を上記下羽根又は上羽根に形成すると共に他方の突部又は長孔を扉小口面、枠体吊元面、下羽根又は上羽根に設け、上記長孔の長さを上記突部が該長孔内を上記間隙の長さ分移動できる長さに形成したことを特徴とする対震丁番。
【請求項３】
扉小口面又は枠体吊元面に取り付けられる下羽根と上羽根を有し、各羽根の側端縁に管部を設け、下羽根又は上羽根のいずれか一方の管部内に軸を固定し、該軸の先端を他方の下羽根又は上羽根に対し相対的に上下動且つ回転可能に該他方の下羽根又は上羽根の管部内に挿入し、該他方の下羽根又は上羽根の管部の一端を閉塞する儀星と上記軸の先端の間に管部内で移動可能な座金と該座金を上記軸の先端に向けて付勢する圧縮コイルばねと該座金の移動範囲を制限するストッパーを設け、下羽根と上羽根の間に間隙を形成し、上記扉小口面又は枠体吊元面の一方側から他方側に向けて突出する突部と扉を閉鎖したとき該突部が嵌入する長孔を有し、該突部又は長孔のいずれか一方を上記下羽根又は上羽根に形成すると共に他方の突部又は長孔を扉小口面、枠体吊元面、下羽根又は上羽根に設け、上記長孔の長さを上記突部が該長孔内を上記間隙の長さ分移動できる長さに形成したことを特徴とする対震丁番。
【請求項４】
扉小口面又は枠体吊元面に取り付けられる下羽根と上羽根を有し、各羽根の側端縁に形成された管部に連通し少なくとも一方の羽根に対し相対的に上下動且つ回転可能な軸を設け、上記管部の一端部を閉塞する儀星と上記軸の端部の間に上記管部内で移動可能な座金及び該座金を上記軸の端部に向けて付勢する圧縮コイルばねを介装し、該座金の移動範囲を制限するよう管部内にストッパーを設け、下羽根と上羽根の間に間隙を形成し、上記下羽根及び上羽根は扉を閉鎖したとき重なり合う対向面を有し、一方の羽根の対向面から他方の羽根の対向面に向けて突出する突部を形成すると共に他方の羽根の対向面に扉を閉鎖したとき該突部が嵌入する長孔を設け、該長孔の長さを上記突部が該長孔内を上記間隙の長さ分移動できる長さに形成したことを特徴とする対震丁番。
【請求項５】
上記突部は、上記下羽根又は上羽根を上記扉小口面又は枠体吊元面に取り付けるための取付ねじと一体的に設けられている請求項１ないし請求項４のいずれかに記載の対震丁番。
【請求項６】
上記突部は、上記下羽根又は上羽根を上記扉小口面又は枠体吊元面に取り付けるための取付ねじと別体に設けられている請求項１ないし請求項４のいずれかに記載の対震丁番。
【請求項７】
上記突部は、複数設けられている請求項１ないし請求項６のいずれかに記載の対震丁番。
【請求項８】
請求項１ないし請求項７のいずれかに記載の対震丁番を用いた扉装置。
【考案の詳細な説明】
【技術分野】
【０００１】
本考案は、扉を枠体に開閉自在に取り付けるための丁番に関し、特に地震等で枠体が変形するような外力を受けた場合に、丁番が変形分を吸収して扉を確実に開閉できるようにした対震丁番及びそれを用いた扉装置に関するものである。
【背景技術】
【０００２】
従来から一般に使用されている旗丁番は、一側端に管部を設けた上下の羽根を有し、枠体に取り付ける下羽根の管部の下端には儀星が固着され、その内部には上方に突出する軸が挿入固定されている。また、該軸の先端は、扉に取り付ける上羽根の管部内に軸受を挟んで回転自在に挿入されており、その管部の上端には、儀星が固着されている。これにより、下羽根の管部上端と上羽根の管部下端が軸受を介して突き当たった状態で、枠体に扉が支持されている。このように、従来から一般的に使用されている旗丁番は、下羽根の管部上端と上羽根の管部下端の間に隙間がないため、地震等の外力が作用して扉の枠体が変形すると、その荷重が作用して丁番自体が変形、損傷し、扉を開閉することができなくなる。
【０００３】
そのような事態を招来しないよう、扉の枠体が変形して丁番に変形荷重が作用した場合でも扉を開閉できるようにした対震丁番が知られている（例えば、特許文献１参照）。この特許文献１に記載の対震丁番は、下羽根と上羽根（それぞれ第２羽根板、第１羽根板）の側端縁に形成された管部に連通する軸（支軸）を下羽根の管部内に固定すると共に上羽根に対し相対的に上下動且つ回転可能に上羽根の管部内に挿入し、該管部端を閉塞する儀星（蓋プラグ）と上記軸の先端の間に上記管部内で移動可能な座金（負荷プラグ）及び該座金を上記軸に向けて付勢する圧縮コイルばねを介装し、該座金の移動範囲を制限するよう管部内にストッパー（係止部）を設け、下羽根と上羽根の間に間隙を形成してある。そして、地震等により扉の枠体が変形し丁番に外力が作用した場合には、この各羽根間の間隙が圧縮代となって丁番の変形が防止され、扉を開閉できるよう構成されている。
【０００４】
しかし、日本の家屋では玄関や勝手口の扉は外開きのものが多いため、上記丁番を用いて扉を枠体に開閉自在に取り付けると軸を収納する管部が屋外に露出し、且つ、各羽根間に形成された間隙により軸が丸見えになっているので、軸が管部内に完全に収納される従来の丁番に比べて、軸を切断されるおそれが大きく、防犯上問題があった。対震丁番の中には、上記間隙から軸が露出しないよう各羽根間に薄板金属や樹脂等で成形した化粧リングを被せたものもあるが、その構造を知ってしまえば、化粧リングを切断、破壊等して取り除くのは容易であり、化粧リングを有しない対震丁番を用いた場合と同様、軸を切断して扉を外されてしまう危険がある。また、丁番を破壊されても扉を外せないようにした構造も提案されているが（例えば、特許文献２参照）、そのような丁番は、上述の如き対震丁番としての機能を有せず、地震時等における枠体の変形等により、扉を開閉させることができなくなる。
【先行技術文献】
【特許文献】
【０００５】
【特許文献１】特公平２−２９８３２号公報
【特許文献２】特開２００５−３３６８６０号公報（図５）
【考案の概要】
【考案が解決しようとする課題】
【０００６】
本考案が解決しようとする課題は、一般の丁番よりも軸を切断されやすい構造を有する対震丁番を用いた場合に、たとえ軸が切断されても、屋内への侵入を確実に防止することができ、しかも対震丁番としての機能を充分に発揮することができる対震丁番及びそれを用いた扉装置を提供することである。
【課題を解決するための手段】
【０００７】
本考案によれば、扉小口面又は枠体吊元面に取り付けられる下羽根と上羽根を有し、各羽根の側端縁に形成された管部に連通し少なくとも一方の羽根に対し相対的に上下動且つ回転可能な軸を設け、上記管部の一端部を閉塞する儀星と上記軸の端部の間に上記管部内で移動可能な座金及び該座金を上記軸の端部に向けて付勢する圧縮コイルばねを介装し、該座金の移動範囲を制限するよう上記管部内にストッパーを設け、下羽根と上羽根の間に間隙を形成し、上記扉小口面又は枠体吊元面の一方側から他方側に向けて突出する突部と扉を閉鎖したとき該突部が嵌入する長孔を設け、該突部又は長孔のいずれか一方を上記下羽根又は上羽根に形成すると共に他方の突部又は長孔を扉小口面、枠体吊元面、下羽根又は上羽根に設け、上記長孔の長さを上記突部が該長孔内を上記間隙の長さ分移動できる長さに形成したことを特徴とする対震丁番及びそれを用いた扉装置が提供され、上記課題が解決される。
【考案の効果】
【０００８】
本考案は、上記のように構成され、扉小口面又は枠体吊元面の一方側から他方側に向けて突出する突部と扉を閉鎖したとき該突部が嵌入する長孔を有し、該突部又は長孔のいずれか一方を下羽根又は上羽根に形成すると共に他方の突部又は長孔を扉小口面、枠体吊元面、下羽根又は上羽根に設けたので、扉を閉じて施錠すると、扉はその戸先側においてロックされると共にその吊元側において上記突部が長孔に嵌入することによりロックされる。したがって、たとえ軸が切断された場合であっても、扉を外すことができないため、屋内への侵入を防ぐことができ、優れた防犯効果を有する。さらに、上記長孔の長さを上記突部が該長孔内を各羽根間の間隙の長さ分移動できる長さに形成したから、地震等により枠体が変形しその変形荷重が丁番に作用したとき、上記突部が上記長孔に嵌入したまま羽根が上記間隙を小さくする方向に移動することができる。よって、枠体が変形した後であっても、対震丁番としての機能を損なうことなく、枠体変形前と同様の防犯効果が維持される。
【図面の簡単な説明】
【０００９】
【図１】本考案の一実施例を示す説明図である。
【図２】図１に示す実施例の斜視図である。
【図３】扉を閉じた状態を示す平断面図である。
【図４】扉を閉じた状態を示す側断面図である。
【図５】他の実施例を示す斜視図である。
【図６】他の実施例を示す斜視図である。
【図７】他の実施例を示す説明図である。
【考案を実施するための形態】
【００１０】
図１は本考案の一実施例を示し、扉１は、対震丁番２により枠体３に開閉自在に支持されている。この対震丁番２は下羽根４と上羽根５を有し、それぞれの羽根板６、７の側端部には管部８、９が設けられ、該管部８、９の下端又は上端は儀星１０で閉塞されている。上記羽根板６、７には取付孔１１が設けられ、下羽根４及び上羽根５は、この取付孔１１を介して取付ねじ１２をねじ込むことにより、扉１の小口面１３と扉１を閉鎖したときその小口面１３に対向する枠体３の吊元面１４にそれぞれ固定されている（図２）。なお、上記儀星は、ピンや溶接など適宜の固定手段により、管部端に固定されている。
【００１１】
図１に示す対震丁番２としては、従来の丁番と交換できるよう、各羽根板及び管部のサイズや取付孔の位置、数等を従来の旗丁番と同様に形成したものが好ましく、以下その実施例について説明するが、図７に示すように、従来の旗丁番と羽根の長さ等が相違する対震丁番であってもよい。再び図１を参照して説明すると、上記管部８、９の内部には、各羽根４、５に対し相対的に上下動且つ回転可能な軸１５が挿入されており、該軸１５の両端には、座金１６、１７がそれぞれ管部８、９内を移動可能に設けられている。図１において、下羽根４側の座金１６は上記軸１５と共に移動するよう該軸１５と一体的に形成してあるが、別体に設けてボルトや溶接等により連結してもよい。上羽根５側の座金１７は軸１５と分離しており、該軸１５の先端部１８は略テーパー状に設けられ、その頂部は半球状の尖端部に形成されているが、該頂部にボール４１を嵌着してもよい（図７）。
【００１２】
上記座金１６、１７と上記儀星１０の間には、各座金１６、１７を軸１５の各端部に向けて付勢するよう圧縮コイルばね１９が介装され、上記管部８、９内に設けた係止溝２０には、各座金１６、１７の移動範囲を制限するためのストッパーとして、略Ｃ字状の止め輪２１が嵌着されている。上記圧縮コイルばね１９の作用により、上記管部８、９の間には、間隙２２が形成され、該間隙２２が外部から見えないよう薄板金属や樹脂等で形成した化粧リング２３が嵌め込まれており、この間隙２２が圧縮代Ｓとなる。上記ストッパーは、上記管部内にせり出して上記座金の移動範囲を制限するものであればいかなる構成でもよく、上記の如き止め輪のほか、例えば、図７に示すように段部４４を形成したり、ピンを打ち込んだりしてもよい（図示略）。なお、上記止め輪は、断面略円形状のばね部材で構成されているが、断面略楕円形状、断面略長円形状、断面略多角形状その他適宜断面形状のものを用いることができ、上記係止溝の形状は、該止め輪の形状に対応した形状にすればよい。また、図示のものでは、上記圧縮コイルばねは、各管部内にそれぞれ１本ずつ設けてあるが、平常時に所望の圧縮代を形成するために必要なばね圧に応じて、ばねを多重に介装することもできる。
【００１３】
上記各羽根４、５と軸１５の嵌合は、上述したように、各羽根４、５と軸１５が相対的に移動できるようすきま嵌めにしてあるが、本実施例においては、上羽根５と軸１５の嵌合をすきま嵌めにし、下羽根４と軸１５の嵌合を通常時は両者の相対的移動を拘束し、対震丁番２に変形荷重が作用した際は両者が管部８、９に沿って相対的に上下方向に移動できるよう中間嵌めにしてある。
【００１４】
上記上羽根５には、扉小口面１３側から枠体吊元面１４側に向けて突出する突部２４が設けられている。この突部２４は適宜の構成に設けることができ、図１及び図２に示す実施例では、上羽根５の取付ねじ１２の１本を突部としてある。一方、枠体３の吊元面１４には、扉１を閉鎖したとき上記突部２４と対向する位置に受部材２５がねじ着されており、該受部材２５には、図３に示すように、扉１を閉じたとき上記突部２４が嵌入する長孔２６が形成されている。この長孔２６の長さは、上記突起２４が少なくとも上記間隙２２の長さ分長孔２６内を移動できる長さに設けられ、本実施例では、図４に示すように、該突部２４の下方に上記間隙２２の圧縮代Ｓと若干の余裕αを確保する長さに形成されている。
【００１５】
図１ないし図４に示す実施例において、上記突部２４は扉小口面１３に取り付けられる上羽根５に設けられ、上記長孔２６は枠体吊元面１４に固定した受部材２５に形成されているが、この突部及び長孔は、その一方を下羽根又は上羽根に設けると共に他方の突部又は長孔を扉小口面、枠体吊元面、下羽根又は上羽根に形成し、扉小口面又は枠体吊元面の一方側から他方側に突出する突部が、扉を閉鎖したとき上記長孔に嵌入するようにすればよい。図５に示す対震丁番２７は、そのような一実施例を示し、枠体吊元面１４に取り付けられる下羽根４に突部２４を設け、扉小口面１３に長孔２８を直接形成してある。この長孔２８を扉小口面又は枠体吊元面に直接設ける代わりに、上記図３に示すような長孔を有する受部材を設けてもよい。
【００１６】
図６は、丁番の羽根板の形状を、従来の旗丁番とは異なる形状に設けた他の実施例を示し、対震丁番２９の下羽根３０及び上羽根３１には、扉１を閉じたとき重なり合う対向面３２、３３が形成されている。上羽根３１の対向面３３には、該対向面３３から下羽根３０の対向面３２に向けて突出する突起２４が設けられており、該下羽根３０の対向面３２には、上記突起２４が嵌入する長孔３４が形成されている。なお、各羽根３０、３１は、その取付部分の全長が対向面３２、３３となるように構成されている必要はなく、少なくとも、扉を閉じたときに各羽根どうしが重なり合う対向面を有し、且つ、該対向面の長さが上記長孔の長さ以上に形成されていれば、適宜の構成にすることができ、例えば、各羽根の一部が重なり合うような長さの対向面を設けてもよい。また、下羽根の対向面から突部を突出させると共に上羽根の対向面に長孔を形成するようにしてもよい（図示略）。このように、各羽根の対向面に突部及び長孔をそれぞれ設ければ、突起や長孔、受部材などを扉小口面及び枠体吊元面に位置合わせして取り付ける必要がないから、丁番の取付工程を簡略化することができる。
【００１７】
図１に示す実施例では、上記突部２４は、取付ねじ１２と一体的に設けられているが、例えば、取付ねじと別体の突部を形成したり、突起を有するフランジ状の突部材を上記扉小口面、枠体吊元面、下羽根又は上羽根の適所に設けてもよい。また、上記突部を複数個所に設けることもできる。この場合、上記長孔を該突部に対応する数だけ形成してもよいし、長尺の長孔を有する受部材を設けて該長孔内に複数の突部が嵌入するようにしてもよい（図示略）。
【００１８】
図１ないし図４に示す実施例について、本考案の対震丁番の作用を説明すると、与圧を加えた状態で組み込まれた上記圧縮コイルばね１９により、通常時は座金１６、１７が止め輪２１に当接して、図１に示すように、下羽根４と上羽根５の間に圧縮代Ｓを有する間隙２２が形成され、扉１の円滑な開閉が確保される。扉１を閉鎖状態で施錠すると、この扉１は、その戸先側（図３において右側）においてロックされると共にその吊元側（図３において示されている部分）において上記突部２４が上記長孔２６に係合することにより完全にロックされる。したがって、たとえ化粧リング２３を除去して軸１５を切断したとしても、扉１を外すことはできない。そして、地震等により枠体３が変形して対震丁番２に変形荷重が作用すると、下羽根４と上羽根５が、軸１５を介して座金１６、１７及び圧縮コイルばね１９を圧縮し、上記圧縮代Ｓを小さくする方向に移動する（図示略）。このとき、上記突部２４は、上記長孔２６に係合した状態で図１及び図４において下方に移動するが、該長孔２６は、突部２４の下方に上記間隙２２以上の長さ（圧縮代Ｓと若干の余裕α）を有しているので、上記突部２４は、上記長孔２６に係合したまま、各羽根４、５が移動した分、長孔２６内を移動することができる。その結果、枠体３が変形した場合であっても、対震丁番２の変形や破壊が防止され、丁番としての機能が損なわれないから、枠体３が変形する前と同様に、扉１を支障なく開閉することができると共に防犯機能を維持することができる。
【００１９】
図７は、一方の羽根の管部内に圧縮コイルばねを介装した対震丁番を具備する扉装置に本考案を適用した一実施例を示し、対震丁番３５において、扉１の小口面１３に取り付けられる上羽根３７は、枠体吊元面１４に取り付けられる下羽根３６の長さよりも長く設けられ、各羽根３６、３７の側端縁には、それぞれ管部３８、３９が形成されている。該管部３８、３９に連通する軸４０は、下羽根３６の管部３８内に固定され、その先端にボール４１を有し、上羽根３７に対し相対的に上下動且つ回転可能に設けられている。上記管部３８、３９の一端部は、儀星１０で閉塞され、該管部３９内には、上下動可能な座金４２と該座金４２を上記軸４０の先端に向けて付勢する圧縮コイルばね４３が介装されている。また、上記管部３９内には、上記座金４２の移動範囲を制限するよう、該座金４２が当接する段部４４が形成されている。上記上羽根３７には、取付ねじ１２と一体に設けた突部２４が形成され、上記枠体吊元面１４には、長孔２６を有する受部材２５が取り付けられている。上記突起及び長孔は、上述した実施例と同じように、各所に適宜の構成で設けることができる。また、図７の対震丁番と上下が逆になるよう、下羽根を上羽根よりも長く設け、上述した各部材を下羽根の管部内に組み込むようにしてもよい。これにより、施錠時に扉１を外されるおそれはなく、優れた防犯効果を奏する。
【符号の説明】
【００２０】
１  扉
２、２７、２９、３５  対震丁番
３  枠体
４、３０、３６  下羽根
５、３１、３７  上羽根
８、９、３８、３９  管部
１０  儀星
１１  取付孔
１２  取付ねじ
１３  扉小口面
１４  枠体吊元面
１５、４０  軸
１６、１７、４２  座金
１９、４３  圧縮コイルばね
２１  止め輪
２２  間隙
２３  化粧リング
２４  突部
２５  受部材
２６、２８、３４  長孔
３２、３３  対向面
Ｓ  圧縮代
【図１】
0003152368.tif 000003
【図２】
0003152368.tif 000004
【図３】
0003152368.tif 000005
【図４】
0003152368.tif 000006
【図５】
0003152368.tif 000007
【図６】
0003152368.tif 000008
【図７】
0003152368.tif 000009